(57)【特許請求の範囲】
【請求項１】
外部から受信したパラメータに従って最適なチャネルの割り付けを行うＣＤＭＡ無線基地局であって、
受信ベースバンド信号におけるプリアンブル検出、または前記受信ベースバンド信号のパスサーチを行う複数のプリアンブル検出部兼パスサーチ部と、前記受信ベースバンド信号の復調を行う復調手段と、前記パラメータに従って前記複数のプリアンブル検出部兼パスサーチ部のうち少なくとも１つをプリアンブル検出部として機能させ残りをパスサーチ部として機能させる制御手段とを備えたことを特徴とするＣＤＭＡ無線基地局装置。
【請求項２】
請求項１に記載のＣＤＭＡ無線基地局において、前記プリアンブル検出部兼パスサーチ部は複数のマッチトフィルタを備え、前記制御手段は前記プリアンブル検出部兼パスサーチ部をプリアンブル検出部として機能させる場合、前記複数のマッチトフィルタを直列に接続し、パスサーチ部として機能させる場合、前記複数のマッチトフィルタをそれぞれ異なるチャネルの捕捉に用いることを特徴とするＣＤＭＡ無線基地局。
【発明の詳細な説明】
【０００１】
【発明の属する技術分野】
本発明は、ＣＤＭＡ（Code Division Multiple Access）方式の無線通信システムにおいて、特に最適なチャネル割り当てを行なうＷ（Wideband）−ＣＤＭＡ無線基地局に関するものである。
【０００２】
【従来の技術】
図１０は、従来のＷ−ＣＤＭＡ無線基地局における高周波部とベースバンド部の構成の一例を示すブロック図である。従来のＷ−ＣＤＭＡ無線基地局における高周波部とベースバンド部の構成と動作について図１０を用いて説明する。
【０００３】
まず、送信時の動作について説明する。送信データは、変調部１０で変調され、拡散部２０で拡散コードを乗算され、送信ベースバンド信号として高周波部３０へ出力される。高周波部３０は、送信ベースバンド信号を送信高周波信号へ変換し、アンテナ４０へ出力する。送信高周波信号は、アンテナ４０を介して外部へ送信される。
【０００４】
次に、受信時の動作について説明する。受信高周波信号はアンテナ４０で受信され、高周波部３０へ出力される。高周波部３０は、受信高周波信号を受信ベースバンド信号へ変換し、プリアンブル検出部５０とパスサーチ部６０とＤＰＣＨ（Dedicated Physical Channel）用復調部７０とＲＡＣＨ（Random Access Channel）用復調部８０へ出力する。ここで、ＤＰＣＨは個別チャネルであり、ＲＡＣＨは共通チャネルである。
【０００５】
従来のＷ−ＣＤＭＡ無線基地局におけるベースバンド部には、プリアンブル検出部５０とパスサーチ部６０がそれぞれ複数備えられている。図１１は、複数のプリアンブル検出部と複数のパスサーチ部を用いるベースバンド部の構成の一例を示すブロック図である。図１１に示すように、例えば３個のプリアンブル検出部５０Ａ〜５０Ｃと、３個のパスサーチ部６０Ａ〜６０Ｃが備えられている。ここで、それぞれのプリアンブル検出部５０Ａ〜５０Ｃはプリアンブル検出部５０と同様の構成を持ち、それぞれのパスサーチ部６０Ａ〜６０Ｃはパスサーチ部６０と同様の構成を持つ。
【０００６】
まず、プリアンブル検出部５０とパスサーチ部６０について詳細に説明する。プリアンブル検出部５０はマッチトフィルタ５１と検出部５２から構成される。一方、パスサーチ部６０はマッチトフィルタ６１と検出部６２から構成される。
【０００７】
ここで、マッチトフィルタ５１，６１の構成例について図１２を用いて説明する。図１２は、従来のマッチトフィルタの構成の一例を示すブロック図である。図１２に示すように、このマッチトフィルタは、シフトレジスタ１１０と、乗算器１２０と、加算器１３０から構成される。ここでは、タップ数がｎ＋１の場合を示す。シフトレジスタ１１０はｎ個備えられ、入力された受信ベースバンド信号を順次シフトする。乗算器１２０はｎ＋１個備えられ、順次シフトされ各タップから出力された受信ベースバンド信号と拡散コードの乗算を行う。加算器１３０は、全ての乗算器１２０の出力を加算し、その結果を相関値として出力する。
【０００８】
プリアンブル検出部５０のマッチトフィルタ５１は、受信ベースバンド信号とＲＡＣＨのプリアンブルを捕捉するための拡散コードとの相関演算を行い、その結果を相関値として検出部５２へ出力する。検出部５２は相関値よりプリアンブルの検出を行う。ここで、検出部５２にはＤＳＰ（Digital Signal Processor）を用いる。
【０００９】
一方、パスサーチ部６０のマッチトフィルタ６１は、受信ベースバンド信号とパスを捕捉するための拡散コードとの相関演算を行い、その結果を相関値として検出部６２へ出力する。検出部６２は相関値よりパスの検出を行う。ここで、検出部６２にはＤＳＰを用いる。
【００１０】
次に、ＤＰＣＨ用復調部７０とＲＡＣＨ用復調部８０について詳細に説明する。ＤＰＣＨ用復調部７０は複数のフィンガ７１とＲＡＫＥ部７２から構成される。一方、ＲＡＣＨ用復調部８０は複数のフィンガ８１とＲＡＫＥ部８２から構成される。
【００１１】
ここで、フィンガ７１，８１の構成について図１３を用いて説明する。図１３は、従来のフィンガの構成の一例を示すブロック図である。図１３に示すように、このフィンガは、乗算器２１０と、積分器２２０から構成される。乗算器２１０は、受信ベースバンド信号と拡散コードの乗算を行う。積分器２２０は乗算器２１０の出力を積分し、その結果を相関値として出力する。
【００１２】
ＤＰＣＨ用復調部７０における複数のフィンガ７１には、パスサーチ部６０の出力に従って、各ＤＰＣＨの各パス毎に拡散コードが入力される。次に、フィンガ７１は入力された拡散コードと受信ベースバンド信号との相関演算を行い、その結果を相関値としてＲＡＫＥ部７２へ出力する。ＲＡＫＥ部７２は、ＲＡＫＥを用いて複数のフィンガ７１からの相関値を合成して復調し、復調した結果を受信データとして出力する。
【００１３】
ＲＡＣＨ用復調部８０における複数のフィンガ８１には、パスサーチ部６０の出力に従って、各ＲＡＣＨの各パス毎に拡散コードが入力される。次に、フィンガ８１は入力された拡散コードと受信ベースバンド信号との相関演算を行い、その結果を相関値としてＲＡＫＥ部８２へ出力する。ＲＡＫＥ部８２は、ＲＡＫＥを用いて複数のフィンガ８１からの相関値を合成して復調し、復調した結果をＲＡＣＨデータとして出力する。
【００１４】
上述した従来のＷ−ＣＤＭＡ無線基地局における高周波部とベースバンド部は、固定の仕様に従ってチャネルの割り当てを行うように設計されている。図１４は、従来のＷ−ＣＤＭＡ無線基地局におけるチャネル割り当ての仕様の一例を示す表である。従来のＷ−ＣＤＭＡ無線基地局における高周波部とベースバンド部は、セル半径は１５ｋｍ、ＲＡＣＨの利用可能なＳｉｇｎａｔｕｒｅ数は８、ＲＡＣＨ数は８チャネル分、ＤＰＣＨ数は３２チャネル分という例えば図１４の表に示すような固定の仕様に応じてチャネルの割り当てを行うように設計されている。
【００１５】
【発明が解決しようとする課題】
しかしながら、Ｗ−ＣＤＭＡ無線基地局の実際の運用にあたって、セル半径やＳｉｇｎａｔｕｒｅ数は設置場所に応じて切り換えられることが望ましい。また、ＲＡＣＨは共通チャネルであるが、トラフィックの少ない時のパケット通信に用いられ、ブラウザ機能付きの携帯電話に頻繁に用いられることが容易に想像される。さらに、高速データ通信などのトラフィックの大きなＤＰＣＨが時折発生することも考えられる。そのため、ＲＡＣＨ数やＤＰＣＨ数の変化にも対応できることが望ましい。これらの条件に対応するためには、全ての仕様を備えたＷ−ＣＤＭＡ無線基地局の設計を行うことになるが、巨大な冗長性を持つことになり、大規模な回路が必要となっている。
【００１６】
本発明は上述した課題に鑑みてなされたものであり、セル半径やｓｉｇｎａｔｕｒｅ数に応じて、ＲＡＣＨ数とＤＰＣＨ数の割り当てをダイナミックに変化させるなど幅広い仕様に対応できるとともに、回路規模を縮小することができるＷ−ＣＤＭＡ無線基地局を提供することを目的とする。
【００１７】
【課題を解決するための手段】
上述した目的を達成するために、本発明は、外部から受信したパラメータに従って最適なチャネルの割り付けを行うＣＤＭＡ無線基地局であって、受信ベースバンド信号におけるプリアンブル検出、または前記受信ベースバンド信号のパスサーチを行う複数のプリアンブル検出部兼パスサーチ部と、前記受信ベースバンド信号の復調を行う復調手段と、前記パラメータに従って前記複数のプリアンブル検出部兼パスサーチ部のうち少なくとも１つをプリアンブル検出部として機能させ残りをパスサーチ部として機能させる制御手段とを備えたことを特徴とするものである。
【００１８】
このような構成によれば、幅広い仕様に対応可能となり、セル半径やｓｉｇｎａｔｕｒｅ数に応じて、ＲＡＣＨ数とＤＰＣＨ数の割り当てをダイナミックに変化させることが可能となる。
【００１９】
また、本発明に係るＣＤＭＡ無線基地局において、前記プリアンブル検出部兼パスサーチ部は複数のマッチトフィルタを備え、前記制御手段は前記プリアンブル検出部兼パスサーチ部をプリアンブル検出部として機能させる場合、前記複数のマッチトフィルタを直列に接続し、パスサーチ部として機能させる場合、前記複数のマッチトフィルタをそれぞれ異なるチャネルの捕捉に用いることを特徴とするものである。
【００２０】
また、本発明に係るＣＤＭＡ無線基地局において、前記制御手段は、前記パラメータに基づいて前記マッチトフィルタを組み合わせて前記パスサーチの窓サイズを変更することを特徴とするものである。
【００２１】
このような構成によれば、マッチトフィルタを効率良く切り換えることにより、共用することができ、回路の大幅な小型化が可能となる。
【００２２】
また、本発明に係るＣＤＭＡ無線基地局において、前記制御手段は、前記パラメータに基づいてフィンガを組み合わせ、チャネル毎のフィンガ数を変更することを特徴とするものである。
【００２３】
このような構成によれば、フィンガを効率良く切り換えることにより、共用することができ、回路の大幅な小型化が可能となる。
【００２４】
【発明の実施の形態】
以下、本発明の実施の形態について図面を参照して詳細に説明する。本発明のＷ−ＣＤＭＡ無線基地局における高周波部とベースバンド部の構成と動作について図１を用いて説明する。図１は、本発明のＷ−ＣＤＭＡ無線基地局における高周波部とベースバンド部の構成の一例を示すブロック図である。図１において、図１０と同一符号は図１０に示された対象と同一又は相当物を示しており、ここでの説明を省略する。本実施の形態では、図１０に示したプリアンブル検出部５０とパスサーチ部６０の代わりに、プリアンブル検出部兼パスサーチ部３００を備え、また、図１０に示したＤＰＣＨ用復調部７０とＲＡＣＨ用復調部８０の代わりに復調部３１０を備える。１つの復調部３１０は複数のフィンガ３１１とＲＡＫＥ部３１２から構成される。ここで、プリアンブル検出部兼パスサーチ部３００及びフィンガ３１１は、ＤＳＰを用いることにより、ソフトウェアラジオとして機能する。また、プリアンブル検出部兼パスサーチ部３００とフィンガ３１１を制御する制御部３２０を新たに備える。制御部３２０は、外部のネットワーク３３０より受信したパラメータに従って制御を行う。
【００２５】
本実施の形態では、プリアンブル検出部兼パスサーチ部３００及びフィンガ３１１をＤＳＰで構成するとしたが、その一部または全部をハードウェアで構成しても良い。
【００２６】
なお、本実施の形態における復調手段とは復調部３１０のことであり、制御手段とは制御部３２０のことである。
【００２７】
まず、制御部３２０が、セル半径やｓｉｇｎａｔｕｒｅ数に応じて収用チャネル数を変化させる動作について説明する。図２は、複数のプリアンブル検出部兼パスサーチ部を用いるベースバンド部の構成の一例を示すブロック図である。図２に示すように、本発明のＷ−ＣＤＭＡ無線基地局におけるベースバンド部には、プリアンブル検出部兼パスサーチ部３００が複数備えられている。ここで、それぞれのプリアンブル検出部兼パスサーチ部３００Ａ〜３００Ｅは、プリアンブル検出部兼パスサーチ部３００と同様の構成を持つ。
【００２８】
従来は図１１に示したように、独立したハードウェアであったプリアンブル検出部５０Ａ〜５０Ｃとパスサーチ部６０Ａ〜６０Ｃの代わりに、図２のようにプリアンブル検出とパスサーチの機能に兼用できるプリアンブル検出部兼パスサーチ部３００Ａ〜３００Ｅを用いる。制御部３２０は、外部のネットワーク３３０から受信したパラメータに従って、プリアンブル検出部兼パスサーチ部３００Ａ〜３００Ｅを、プリアンブル検出部またはパスサーチ部のいずれかとして機能するように切り換える。ここで、制御部３２０が受信するパラメータは、ＲＡＣＨの利用可能なｓｉｇｎａｔｕｒｅ数とセル半径である。
【００２９】
パラメータの一例として、外部のネットワーク３３０から、セル半径が５０ｋｍ、ｓｉｇｎａｔｕｒｅ数が１６というパラメータを受信した場合、制御部３２０は、図２においてプリアンブル検出部兼パスサーチ部３００Ｂ〜３００Ｅをプリアンブル検出部として機能するように切り換え、図２においてプリアンブル検出部兼パスサーチ部３００Ａのみをパスサーチ部として機能するように切り換える。また、パラメータの他の一例として、外部のネットワーク３３０から、セル半径が１５ｋｍ、ｓｉｇｎａｔｕｒｅ数が１２というパラメータを受信した場合、制御部３２０は、図２においてプリアンブル検出部兼パスサーチ部３００Ａ〜３００Ｄまではパスサーチ部として機能するように切り換え、図２においてプリアンブル検出部兼パスサーチ部３００Ｅのみプリアンブル検出部として機能するように切り換える。
【００３０】
次に、プリアンブル検出部兼パスサーチ部３００の構成要素について説明する。上述したようにプリアンブル検出部兼パスサーチ部３００は、従来のプリアンブル検出部５０とパスサーチ部６０の機能を備えている。従来のプリアンブル検出部５０とパスサーチ部６０は、いずれも図１２に示したマッチトフィルタが用いられる。プリアンブル検出部はＲＡＣＨのプリアンブルの捕捉を目的とするため、マッチトフィルタのタップ数は非常に大きなものとなる。一方、パスサーチ部は大まかなパス位置は把握している状態でパスの追従を目的とするため、マッチトフィルタのタップ数はプリアンブル検出部の数十分の１のサイズでまかなえる。そこで、本実施の形態におけるプリアンブル検出部兼パスサーチ部３００では、図１２に示したマッチトフィルタの代わりに、従来のプリアンブル検出部５０とパスサーチ部６０の機能に共通に利用できる小型マッチトフィルタを用いる。
【００３１】
ここで、小型マッチトフィルタの構成例について図３を用いて説明する。図３は、本発明に係るプリアンブル検出部兼パスサーチ部に用いる小型マッチトフィルタの構成の一例を示すブロック図である。図３に示すように、この小型マッチトフィルタ３０１は、シフトレジスタ１１０と、乗算器１２０と、加算器１３１から構成される。ここでは、タップ数が４の場合を示す。シフトレジスタ１１０は３個備えられ、入力された受信ベースバンド信号を順次シフトする。乗算器１２０は４個備えられ、順次シフトされ各タップから出力された受信ベースバンド信号と拡散コードの乗算を行う。加算器１３１は、全ての乗算器１２０の出力を加算し、その結果を相関値として出力する。
【００３２】
図４は、本発明に係る小型マッチトフィルタを直列に用いる場合の構成の一例を示すブロック図である。図１に示したプリアンブル検出部兼パスサーチ部３００がプリアンブル検出部として機能するときには、マッチトフィルタのタップ数を多く必要とするため、図４に示すように小型マッチトフィルタ３０１を直列に用いる。各小型マッチトフィルタ３０１には信号入力と参照入力があり、最初の小型マッチトフィルタ３０１の信号入力には、受信ベースバンド信号が入力される。最初の小型マッチトフィルタ３０１における全てのシフトレジスタを通過した受信ベースバンド信号は、次の小型マッチトフィルタ３０１へ入力される。同様にして、小型マッチトフィルタ３０１でシフトされた受信ベースバンド信号は、次の小型マッチトフィルタ３０１へ入力されていく。一方、各小型マッチトフィルタ３０１の参照入力には、同一のＲＡＣＨのプリアンブルを捕捉するための拡散コードのうち、各小型マッチトフィルタ３０１のシフト分に合わせた部分コードが入力される。加算器１３２は、それぞれの小型マッチトフィルタ３０１の出力を全て加算し、その結果を相関値として出力する。
【００３３】
図５は、本発明に係る小型マッチトフィルタを並列に用いる場合の構成の一例を示すブロック図である。プリアンブル検出部兼パスサーチ部３００がパスサーチ部として機能するときには、マッチトフィルタのタップ数をプリアンブル検出部の数十分の１のサイズでまかなえるため、図５に示すように小型マッチトフィルタ３０１を並列に用いる。各小型マッチトフィルタ３０１の信号入力には、分岐された受信ベースバンド信号が並列に入力される。一方、各小型マッチトフィルタ３０１の参照入力には、異なるチャネルを捕捉するための拡散コードが入力される。結果として、それぞれの小型マッチトフィルタ３０１は、異なるチャネルに対する相関値を出力する。
【００３４】
次に、制御部３２０が、収用ＤＰＣＨ数に応じてＤＰＣＨ数とＲＡＣＨ数の割り当てを変化させる動作について説明する。従来は、ネットワーク３３０からのパラメータも、受信可能なＲＡＣＨ数とＤＰＣＨ数は固定であることを前提に決められており、ＤＰＣＨの最大数に対する回路と、ＲＡＣＨの最大数に対する回路を別々に設けていた。本実施の形態では、チャネル数が多く通信量の変動が大きいＲＡＣＨによるパケット通信と、チャネル数は少ないが通信量の多いＤＰＣＨによるデータ通信を効率よく処理するために、全体のチャネル（ＲＡＣＨ＋ＤＰＣＨ）数分の回路を備える。
【００３５】
具体的には、収用ＤＰＣＨ数の増加に従ってＲＡＣＨの割り当てを減らし、ＤＰＣＨへ割り当てるようにする。ＲＡＣＨはトラフィックの少ないときのパケット通信に用いられる。収用するＤＰＣＨ数が少ない時には受信可能なＲＡＣＨ数の割り当てを多くしておけば、仮に大勢の人が乗り物で移動してきた場合でも十分に受け入れ可能である。
【００３６】
逆に、高速通信のためのＤＰＣＨが発生した場合、一般的に全体のチャネル数は減らすので、受信可能なＤＰＣＨ数の割り当ては減らすことになる。本実施の形態では、このＤＰＣＨ数を減らすことに加えて、同じようにパケット通信としてのＲＡＣＨ数を減らす。
【００３７】
ここで、チャネル割り当ての方法について説明する。図６は、本発明のＷ−ＣＤＭＡ無線基地局におけるチャネル割り当ての一例を示す表である。制御部３２０は、外部のネットワーク３３０から受信した現在のＤＰＣＨ数に応じて、受信可能なチャネル数を判断する。判断には、例えば図６の表を用いる。現在のＤＰＣＨ数が２０である場合、制御部３２０は図６の表に従って、受信可能なＲＡＣＨ数は１２、現在のＤＰＣＨ数を含めて受信可能なＤＰＣＨ数は２２と判断し、この判断に従ってチャネル割り当てを行う。なお、ＲＡＣＨは、携帯端末と無線基地局間でＤＰＣＨを開く時などにも必要となるので、最小ＲＡＣＨ数は定めておき、ＲＡＣＨ数が０にならないようにする。
【００３８】
以上の動作により、Ｗ−ＣＤＭＡ無線システムとしての制約がなくなり、受信可能なＲＡＣＨ数とＤＰＣＨ数は柔軟に変化するものとして扱うことができる。また、回路を兼用で使用することができるため、回路規模の削減、場合によってはＤＳＰの数の削減が可能となる。
【００３９】
次に、制御部３２０が、収用チャネル数に応じてパスサーチの窓サイズを最適化する動作について説明する。一般に、収用チャネル数が少ない場合とは、高速データ通信をしているＤＰＣＨが存在するなど、通信品質の確保が重要となる場合である。一方、収用チャネル数が多い場合とは、音声通話等、高速データ通信ほど通信品質の確保は必要とされない場合である。そのため、本実施の形態では、収用チャネル数に応じてパスサーチの窓サイズを変動させる。すなわち、収用チャネル数が少ない時は、通信品質を確保するためにチャネル毎のパスサーチの窓サイズを広くとりパス追従精度を高くする。一方、収用チャネル数が多い時は、通信品質の確保を必要としないためチャネル毎のパスサーチの窓サイズを多少狭くしても影響は小さい。
【００４０】
制御部３２０は、収用チャネル数に応じて最適な窓サイズを決める。具体的には、全体の延べ窓サイズを収用チャネル数で割った数を、１チャネルにおける最大窓サイズとして設定する。例えば、全体の延べ窓サイズを４００ｃｈｉｐとし、最大窓サイズを４０ｃｈｉｐとした場合、収用チャネル数が１０チャネル以下なら４０ｃｈｉｐ、収用チャネル数が２０チャネル以下なら２０ｃｈｉｐ、収用チャネル数が４０チャネル以下なら１０ｃｈｉｐがパスサーチの窓サイズとなる。
【００４１】
パスサーチにおける窓サイズの変更は、図４のように直列に組み合わせる小型マッチトフィルタ３０１の数を変更することにより実現できる。例えば、１つの小型マッチトフィルタ３０１を４ｃｈｉｐサイズで構成した場合、単独で用いれば４ｃｈｉｐ窓サイズ、小型マッチトフィルタ３０１を２つ直列に組み合わせれば８ｃｈｉｐ窓サイズ、小型マッチトフィルタ３０１を３つ直列に組み合わせれば１２ｃｈｉｐ窓サイズが実現できる。ここで、小型マッチトフィルタ３０１またはプリアンブル検出部兼パスサーチ部３００は、ソフトウェアで実現しても、ハードウェアで実現しても良い。
【００４２】
以上の動作により、収用チャネル数に応じてパスサーチの窓サイズを柔軟に変化させることができる。
【００４３】
次に、制御部３２０が、収用チャネル数に応じてフィンガ数を最適化する動作について説明する。本実施の形態では、フィンガ３１１として、図１３に示したフィンガと同様な構成のものを用いる。収用チャネル数が少ない時は、高品質な通信が行われている可能性が高く、通信品質を確保するためにＲＡＫＥ合成するフィンガ数を多くする。一方、収用チャネル数が多い時は、通信品質の確保を必要としないためＲＡＫＥ合成するフィンガ数を少なくしても影響は小さい。
【００４４】
制御部３２０は、収用チャネル数に応じて最適なフィンガ数を決定する。具体的には、全体の延べフィンガ数を収用チャネル数で割った数を、１チャネルの最大フィンガ数として用いることができる。例えば、全体の延べフィンガ数を１６０とし、フィンガ数の最大数を１６とした場合、収用チャネル数が１０チャネル以下なら１６フィンガ、収用チャネル数が２０チャネル以下なら８フィンガ、収用チャネル数が４０チャネル以下なら４フィンガをＲＡＫＥ合成することができる。ここで、フィンガ３１１または復調部３１０は、ソフトウェアで実現しても、ハードウェアで実現しても良い。
【００４５】
図７は、複数のフィンガを同一チャネルに用いる構成の一例を示すブロック図である。パスサーチ部の出力に従って、各フィンガ３１１には対応するパスのタイミングで拡散コードが入力される。次に、各フィンガ３１１は入力された拡散コードと受信ベースバンド信号との相関演算を行う。結果として、マルチパスのシンボルがそれぞれ逆拡散され、マルチパスに対応した複数の逆拡散結果がＲＡＫＥ部３１２へ出力される。
【００４６】
一方、図８は、複数のフィンガを異なるチャネルに用いる構成の一例を示すブロック図である。パスサーチ部の出力に従って、各フィンガ３１１には対応するチャネルの拡散コードが入力される。次に、各フィンガ３１１は入力された拡散コードと受信ベースバンド信号との相関演算を行う。結果として、複数チャネルに対応したそれぞれのシンボルが逆拡散され、各チャネルに対して１パスずつの逆拡散結果が各チャネルのＲＡＫＥ部３１２へ出力される。
【００４７】
以上の動作により、復調部３１０を少ないハードウェアで効率よく構成でき、構成が単純且つ小型化できる。
【００４８】
【発明の効果】
以上に詳述したように本発明によれば、Ｗ−ＣＤＭＡ無線基地局の構成において、幅広い仕様に対応可能となり、セル半径やｓｉｇｎａｔｕｒｅ数に応じて、ＲＡＣＨ数とＤＰＣＨ数の割り当てをダイナミックに変化させることが可能となる。また、小型マッチトフィルタやフィンガを効率良く切り換えることにより、共用することができ、回路の大幅な小型化が可能となる。
【００４９】
例えば、セル半径が大きい場合は、利用可能なｓｉｇｎａｔｕｒｅ数を制限し収用チャネル数を減らすことで、１つの無線基地局で幅広い仕様に対応できる。図９は、本発明のＷ−ＣＤＭＡ無線基地局におけるチャネル割り当ての一例を示す表である。図１４に示した従来のチャネル割り当てが固定の仕様であったのに対し、本発明のチャネル割り当ては幅広い仕様に対応できる。例えば、図９に示すように、セル半径が１５ｋｍ、ｓｉｇｎａｔｕｒｅ数が１２、最大ＤＰＣＨ数が３２を基準とすると、セル半径が５０ｋｍではｓｉｇｎａｔｕｒｅ数が８、最大ＤＰＣＨ数が２４、セル半径が１ｋｍではｓｉｇｎａｔｕｒｅ数が１６、最大ＤＰＣＨ数が３２となり、セル半径１５ｋｍを基準として設計しても、多少の制限のもとにセル半径５０ｋｍまで対応できる。
【図面の簡単な説明】
【図１】本発明のＷ−ＣＤＭＡ無線基地局における高周波部とベースバンド部の構成の一例を示すブロック図である。
【図２】複数のプリアンブル検出部兼パスサーチ部を用いるベースバンド部の構成の一例を示すブロック図である。
【図３】本発明に係るプリアンブル検出部兼パスサーチ部に用いる小型マッチトフィルタの構成の一例を示すブロック図である。
【図４】本発明に係る小型マッチトフィルタを直列に用いる場合の構成の一例を示すブロック図である。
【図５】本発明に係る小型マッチトフィルタを並列に用いる場合の構成の一例を示すブロック図である。
【図６】本発明のＷ−ＣＤＭＡ無線基地局におけるチャネル割り当ての一例を示す表である。
【図７】複数のフィンガを同一チャネルに用いる構成の一例を示すブロック図である。
【図８】複数のフィンガを異なるチャネルに用いる構成の一例を示すブロック図である。
【図９】本発明のＷ−ＣＤＭＡ無線基地局におけるチャネル割り当ての仕様の一例を示す表である。
【図１０】従来のＷ−ＣＤＭＡ無線基地局における高周波部とベースバンド部の構成の一例を示すブロック図である。
【図１１】複数のプリアンブル検出部と複数のパスサーチ部を用いるベースバンド部の構成の一例を示すブロック図である。
【図１２】従来のマッチトフィルタの構成の一例を示すブロック図である。
【図１３】従来のフィンガの構成の一例を示すブロック図である。
【図１４】従来のＷ−ＣＤＭＡ無線基地局におけるチャネル割り当ての仕様の一例を示す表である。
【符号の説明】
１０  変調部、２０  拡散部、３０  高周波部、４０  アンテナ、３００，３００Ａ，３００Ｂ，３００Ｃ，３００Ｄ，３００Ｅ  プリアンブル検出部兼パスサーチ部、３０１  小型マッチトフィルタ、１１０  シフトレジスタ、１２０  乗算器、１３１，１３２  加算器、３１０  復調部、３１１  フィンガ、３１２ＲＡＫＥ部、３２０  制御部、３３０  ネットワーク。
【図１】
0003735056.tif 000002
【図２】
0003735056.tif 000003
【図３】
0003735056.tif 000004
【図４】
0003735056.tif 000005
【図５】
0003735056.tif 000006
【図６】
0003735056.tif 000007
【図７】
0003735056.tif 000008
【図８】
0003735056.tif 000009
【図９】
0003735056.tif 000010
【図１０】
0003735056.tif 000011
【図１１】
0003735056.tif 000012
【図１２】
0003735056.tif 000013
【図１３】
0003735056.tif 000014
【図１４】
0003735056.tif 000015